(57)【要約】【課題】脱着監視装置による監視状態の解除方法をより複雑化し、作業者のみが容易に監視状態を解除できるようにする。【解決手段】ＨＤＤ２０の着脱を監視する監視回路を有する監視回路基板２１にキースロット２４を設け、監視解除キー２５をキースロット２４に挿入すると、ＨＤＤ２０の監視状態を解除するとともにロック機構２７によるハードＢＯＸケース２３の開閉部のロック状態を解除して、ＨＤＤ２０の着脱作業を可能にする。監視解除キー２５をキースロット２４に挿入せずにハードＢＯＸケース２３の開閉部を開けるとＢＯＸ開閉センサ２２が検知信号を出力し、監視回路の制御によってＨＤＤ２０内のデータを加工して、ＨＤＤ２０の復旧を不可能にする。【選択図】　　図２
2004102665.tif 000002
【特許請求の範囲】
【請求項１】
入力した情報を蓄積するとともに、蓄積した情報の中から所望の情報を出力する記憶装置と、この記憶装置の取り外しを監視し、前記記憶装置が不正に取り外されるおそれがあると判断した場合に前記記憶装置のデータを加工する脱着監視装置とを有する記憶装置保護システムにおいて、
前記脱着監視装置に、キースロットと、外部からキーを前記キースロットに挿入した際に、前記脱着監視装置による監視状態を解除させる制御手段を設けたことを特徴とする記憶装置保護システム。
【請求項２】
キーに機器固有のデータを付加し、前記脱着監視装置に前記機器固有のデータを読み取る手段を設けたことを特徴とする請求項１記載の記憶装置保護システム。
【請求項３】
キーに書き換え可能なＩＤチップを設けたことを特徴とする請求項２記載の記憶装置保護システム。
【請求項４】
前記脱着監視装置および記憶装置を、金属製の外装筐体内に収納したことを特徴とする請求項１，２または３記載の記憶装置保護システム。
【請求項５】
前記脱着監視装置および記憶装置を収納する外装筐体と、この外装筐体の開閉部をロックするロック機構とを有し、外部からキーを前記キースロットに挿入した際にロック状態を解除することを特徴とする請求項１，２または３記載の記憶装置保護システム。
【請求項６】
前記脱着監視装置および記憶装置を収納する外装筐体と、この外装筐体内部に設けられ、前記外装筐体の開閉部をロックするとともに電気的にロックを解除するロック機構とを有することを特徴とする請求項１，２または３記載の記憶装置保護システム。
【請求項７】
請求項１〜６のいずれか１項記載の記憶装置保護システムと、この記憶装置保護システムおよび情報機器本体内の各ユニットに電源を供給するメイン電源部とを有する情報機器において、前記記憶装置保護システムに、前記脱着監視装置に電源を供給する二次電池を設け、前記メイン電源部から前記記憶装置保護システムへの電源供給を停止した場合に、前記二次電池が前記脱着監視装置に電源を供給することを特徴とする情報機器。
【請求項８】
情報機器本体内の各ユニットの一部に電源を供給する省エネモードを有し、省エネモードに移行した場合に、前記二次電池から前記脱着監視装置に電源を供給することを特徴とする請求項７記載の情報機器。
【請求項９】
情報機器のメインスイッチがオフであるオフモード時に、前記二次電池から前記脱着監視装置に電源を供給することを特徴とする請求項７または８記載の情報機器。
【請求項１０】
前記脱着監視装置は、前記二次電池の残容量が所定値以下になった時、前記脱着監視装置用の電源をオンにする指令を出力して、前記メイン電源部から前記脱着監視装置に電源供給するように切り替えることを特徴とする請求項７、８または９記載の情報機器。
【請求項１１】
前記二次電池の残容量が所定値以下になって前記二次電池から前記メイン電源部に前記脱着監視装置へ供給する電源を切り替えた際に二次電池を充電させ、満充電になった時に、前記メイン電源部から前記二次電池に前記脱着監視装置へ供給する電源を切り替えることを特徴とする請求項１０記載の情報機器。
【発明の詳細な説明】
【０００１】
【発明の属する技術分野】
本発明は、ハードディスクドライブ等の大容量記憶装置が不正に取り外されることを防止する記憶装置保護システムおよびこのシステムを有する情報機器に関する。
【０００２】
【従来の技術】
複写機等の情報機器における文書管理において、セキュリティはデータの暗号化をすることにより、管理することができる。更に、記憶装置を取り外してデータ取得するような場合には、暗号化されたデータにマシンコードを付加することと、マシンコードと暗号復号装置との対応をとることにより、記憶装置を取り外して他の情報機器に装着してデータ取得することが困難となる。
【０００３】
また、ＨＤＤ等の記憶装置の不正脱着を監視する装置における、不正脱着を検知したときの内部データの保護動作について、特許文献１に開示されている。
【０００４】
【特許文献１】
特開平１１−１７５４０６号公報（第４−１０頁）
【０００５】
【発明が解決しようとする課題】
しかし、記憶装置あるいは監視装置のメンテナンス等を行う場合には、監視装置による監視動作を解除させることが必要となるが、容易に監視動作を解除できる機構を設けたのではセキュリティ管理上意味がない。
【０００６】
また、記憶装置が装備されている情報機器本体の主電源遮断時や省エネモード時についても、監視装置への電源供給を考慮しなければならない。
【０００７】
本発明は、このような問題点を解決し、脱着監視装置による監視状態の解除方法をより複雑化し、作業者のみが容易に監視状態を解除できるようにした記憶装置保護システムおよびこのシステムを有する情報機器を提供することを目的とする。
【０００８】
【課題を解決するための手段】
前記目的を達成するため、請求項１に係る発明は、入力した情報を蓄積するとともに、蓄積した情報の中から所望の情報を出力する記憶装置と、この記憶装置の取り外しを監視し、前記記憶装置が不正に取り外されるおそれがあると判断した場合に前記記憶装置のデータを加工する脱着監視装置とを有する記憶装置保護システムにおいて、前記脱着監視装置に、キースロットと、外部からキーを前記キースロットに挿入した際に、前記脱着監視装置による監視状態を解除させる制御手段を設けたことを特徴とする。このように構成したことにより、記憶装置保護システムにおいて、キーをキースロットに挿入することで不正脱着監視を解除することができるので、不正脱着監視を解除するための操作が簡略化され、メンテナンス作業者が記憶装置の脱着作業を容易にすることができる。また、キーがなければ不正脱着監視が解除されないために質の高いセキュリティ管理が可能になる。
【０００９】
請求項２に係る発明は、請求項１に係る発明において、キーに機器固有のデータを付加し、前記脱着監視装置に前記機器固有のデータを読み取る手段を設けたことを特徴とする。このように構成したことにより、キーに機器固有のデータを付加することで、記憶装置保護システムを有する情報機器において、所定の情報機器に対応するキーが他の情報機器には対応せず、非互換を有するため、キーの偽造を困難にすることができる。
【００１０】
請求項３に係る発明は、請求項２に係る発明において、キーに書き換え可能なＩＤチップを設けたことを特徴とする。このように構成したことにより、キーに書き換え可能なＩＤチップを付加させ電子キーにするため、キー側に電気的に識別可能なデータを備えることができ、管理者が任意に識別データを持たせることができるため、複雑かつ偽造を防止することができる。
【００１１】
請求項４に係る発明は、請求項１，２または３に係る発明において、前記脱着監視装置および記憶装置を、金属製の外装筐体内に収納したことを特徴とする。このように構成したことにより、不要電磁波の機外放射を抑えることができる。
【００１２】
請求項５に係る発明は、請求項１，２または３に係る発明において、前記脱着監視装置および記憶装置を収納する外装筐体と、この外装筐体の開閉部をロックするロック機構とを有し、外部からキーを前記キースロットに挿入した際にロック状態を解除することを特徴とする。このように構成したことにより、作業者がロック解除の作業を行う手間が省ける。
【００１３】
請求項６に係る発明は、請求項１，２または３に係る発明において、前記脱着監視装置および記憶装置を収納する外装筐体と、この外装筐体内部に設けられ、前記外装筐体の開閉部をロックするとともに電気的にロックを解除するロック機構とを有することを特徴とする。このように構成したことにより、外部から開閉部を開けようとすることが困難になり、記憶装置の不正取り外しを困難にすることができる。
【００１４】
請求項７に係る発明は、請求項１〜６のいずれか１項記載の記憶装置保護システムと、この記憶装置保護システムおよび情報機器本体内の各ユニットに電源を供給するメイン電源部とを有する情報機器において、前記記憶装置保護システムに、前記脱着監視装置に電源を供給する二次電池を設け、前記メイン電源部から前記記憶装置保護システムへの電源供給を停止した場合に、前記二次電池が前記脱着監視装置に電源を供給することを特徴とする。このように構成したことにより、脱着監視装置に電源を供給し続けることが可能になる。
【００１５】
請求項８に係る発明は、請求項７に係る発明において、情報機器本体内の各ユニットの一部に電源を供給する省エネモードを有し、省エネモードに移行した場合に、前記二次電池から前記脱着監視装置に電源を供給することを特徴とする。このように構成したことにより、情報機器の省エネモード時に、脱着監視装置の電源を二次電池より供給することで情報機器の省エネモード時の電力を低減させることが可能になる。
【００１６】
請求項９に係る発明は、請求項７または８に係る発明において、情報機器のメインスイッチがオフであるオフモード時に、前記二次電池から前記脱着監視装置に電源を供給することを特徴とする。このように構成したことにより、メインスイッチがＯＦＦ状態において、脱着監視装置の電源が遮断されることなく、記憶装置保護システムが動作できる。
【００１７】
請求項１０に係る発明は、請求項７、８または９に係る発明において、前記脱着監視装置は、前記二次電池の残容量が所定値以下になった時、前記脱着監視装置用の電源をオンにする指令を出力して、前記メイン電源部から前記脱着監視装置に電源供給するように切り替えることを特徴とする。このように構成したことにより、二次電池の残容量を監視し、残量が少なくなったら、メイン電源より電源供給することで、電源コードがプラグインされているときは、脱着監視装置に電源供給される。
【００１８】
請求項１１に係る発明は、請求項１０に係る発明において、前記二次電池の残容量が所定値以下になって前記二次電池から前記メイン電源部に前記脱着監視装置へ供給する電源を切り替えた際に二次電池を充電させ、満充電になった時に、前記メイン電源部から前記二次電池に前記脱着監視装置へ供給する電源を切り替えることを特徴とする。このように構成したことにより、供給電源をスイッチング可能にすることによって記憶装置保護システムを効率的に安定動作させることが可能になる。
【００１９】
【発明の実施の形態】
以下、本発明の実施形態について、図面を参照しながら詳細に説明する。
【００２０】
図１は本発明の第１実施形態の記憶装置保護システムを導入したデジタル複写機のブロック図であり、１はデジタル複写機、２はホストコンピュータ、１０は大容量記憶装置、１１は不正脱着監視装置、１２はハードキー部、１３はメイン制御部、１４は暗号復号装置、１５は画像を光学的に読み取るスキャナユニット、１６は画像を記録紙に書き込む書き込みユニット、１７はメイン電源部、１８はＬＡＮ　Ｉ／Ｆ部を示す。
【００２１】
大容量記憶装置１０、不正脱着監視装置１１およびハードキー部１２は同一のケース内に収納されており、ユニット化されている（以下、このユニットを記憶装置ユニットと称する）。ハードキー部１２は外部操作可能に設けられている。
【００２２】
大容量記憶装置１０には、スキャナユニット１５より入力される管理画像データ、またはデジタル複写機１の外部にあるホストコンピュータ２より入力される画像データが蓄積され、文書管理がなされる。不正脱着監視装置１１は、その大容量記憶装置１０の取り外しを監視するものであり、ハードキー部１２の操作によって不正脱着監視装置１１の動作と解除の切り替え要求ができる。メイン制御部１３はデジタル複写機１の全体を制御するものであり、スキャナユニット１５、書き込みユニット１６およびＬＡＮ　Ｉ／Ｆ部１８に接続された外部機器はメイン制御部１３によって制御される。暗号復号装置１４は、大容量記憶装置１０に記憶されている蓄積データあるいは大容量記憶装置１０に記憶する画像データを処理するものであり、この暗号復号装置１４によって暗号化または復号化される。メイン電源部１７はデジタル複写機１内の各ユニットに電源を供給するものであり、記憶装置ユニット、スキャナユニット１５、書き込みユニット１６等に電源供給が行われる。
【００２３】
ホストコンピュータ２はＬＡＮ　Ｉ／Ｆ部１８を介してデジタル複写機１に接続可能であり、ホストコンピュータ２において作成した画像をデジタル複写機１で印刷するシステムが構成される。また、使用者の指示により、スキャナユニット１５で読み取った画像あるいはホストコンピュータ２から送られた画像は暗号化して大容量記憶装置１０に蓄積させておくことが可能であり、さらに、スキャナユニット１５で読み取った画像あるいはホストコンピュータ２から送られた画像あるいは大容量記憶装置１０から読み出して復号化した画像を書き込みユニット１６に送り、印刷することも可能である。
【００２４】
図２は記憶装置の不正脱着を監視する監視回路を含んだ記憶装置ユニットの内部構造の概略を示す斜視図であり、２０は大容量記憶装置であるＨＤＤ、２１は不正脱着監視装置１１を構成する監視回路基板、２２はＢＯＸ開閉センサ、２３は、一部に開閉部を有し、記憶装置ユニットの外装となる金属製のハードＢＯＸケース、２４は監視回路基板２１に設けられたキースロット、２５はハードキーからなる監視解除キー、２６は蝶番、２７はハードＢＯＸケース２３の開閉部をロックするロック機構を示す。
【００２５】
ハードＢＯＸケース２３内の所定位置に、ＨＤＤ２０，監視回路基板２１，ＢＯＸ開閉センサ２２，ロック機構２７が固定され、監視回路基板２１に対してＨＤＤ２０，ＢＯＸ開閉センサ２２，ロック機構２７がケーブルを介して接続されている。
【００２６】
キースロット２４と監視解除キー２５によりハードキー部１２が構成されていおり、ハードＢＯＸケース２３におけるキースロット２４との対向部位には小穴が設けてあるため、この小穴を介して監視解除キー２５がキースロット２４へ外部から挿入することが可能になる。ハードＢＯＸケース２３本体と開閉部とは蝶番２６によって開閉可能に連結されており、開閉部を開くことにより、ＨＤＤ２０の着脱作業が可能になる。また、ハードＢＯＸケース２３には、ＨＤＤ２０および監視回路基板２１と暗号復号装置１４またはメイン電源部１７とを接続するためのケーブルが通る小穴が形成されている。
【００２７】
監視回路基板２１に電源が供給されていれば、脱着回路がＨＤＤ２０が取り外されたか否かを常時監視する状態となる。監視状態においてハードＢＯＸケース２３の開閉部が開かれたことをＢＯＸ開閉センサ２２が検知した場合、監視回路基板２１上の監視回路が不正検知動作を実行する。なお、不正検知動作については後述する。監視状態の解除はキースロット２４に監視解除キー２５が挿入されることにより可能となる。監視解除キー２５にはＩＤチップが組み込まれた電子式が有効であるが、鍵と錠のようにメカニカルな回転方式でもよい。ここで、監視解除キー２５がＩＤチップが組み込まれた電子式の場合には、キースロット２４にＩＤチップのデータを読み取る手段を設ける必要があり、ＩＤチップのデータに基づいて監視回路基板２１上の監視回路が正しい監視解除キー２５であると判断した場合にのみ監視状態が解除される。監視解除キー２５がメカニカルな回転方式の場合には監視解除キー２５を挿入して回転させた場合に監視状態が解除される。
【００２８】
また、ロック機構２７は、監視解除キー２５がキースロット２４に差し込まれ、かつ正しい監視解除キー２５であることが認識された場合にのみロック状態を解除する構成である。ロック機構２７には電磁石を利用した磁気ロック方式、バネとソレノイドを用いソレノイドを引いた時にロック解除になる方式、と多数あるが、省エネルギーの点では後者が有効な手段となる。ハードキーがメカニカルのものを用いた時は、キーの回転連動によるロック機構でもよい。
【００２９】
図３は記憶装置ユニットの電源供給を示すブロック図であり、２１ａは監視回路、２１ｂはデータバッファ、２１ｃはアドレスバッファを示し、監視回路基板２１には、監視回路２１ａ、データバッファ２１ｂ、アドレスバッファ２１ｃが搭載されている。また、３０は二次電池を示し、二次電池３０、ＢＯＸ開閉センサ２２は記憶装置ユニット内に設けられている。
【００３０】
監視回路２１ａに供給する電源としては、メイン電源部１７のＳＷ１をＯＮにすることによって供給する電源と、省エネモード等ＳＷ１がＯＦＦの場合において、監視回路基板２１上に搭載された二次電池から供給する電源とがある。ＳＷ１の動作は監視回路２１ａ上のＣＰＵによって制御される。ＳＷ１としてはリレー素子やＤＣコンバータ等が適用可能であるが、構成する部材は特に限定しない。二次電池３０としては充放電が可能な電池が適用可能であるが、電気２重層コンデンサを用いても良い。
【００３１】
次に、不正脱着監視装置１１による大容量記憶装置１０の監視動作および不正な取り外しを検知した場合の動作について、図３，図４を参照しながら説明する。
【００３２】
図４は不正脱着監視装置による監視動作および不正検知動作を説明するフロー図である。監視回路２１ａ上にあるＣＰＵは、常時監視解除キー２５のキースロット２４への挿入およびＢＯＸ開閉センサ２２の出力を監視する（Ｓ１−１，２，３）。監視解除キー２５の挿入が検知されたら（Ｓ１−１）、ＨＤＤ２０の不正脱着の監視状態をＯＦＦにする（Ｓ１−４）。監視状態がＯＦＦになるとともにロック機構２７によるロック状態が解除され、内部データを加工することなくＨＤＤ２０の脱着が可能となる（Ｓ１−５）。
【００３３】
監視解除キー２５が指し込まれていない状態では、ハードＢＯＸケース２３の開閉部がロック機構２７によってロックされているため、通常は、ＢＯＸ開閉センサ２２の出力から開閉部が閉じていることが検知される（Ｓ１−３のいいえ）。ここで、ハードＢＯＸケース２３が開かれたことをＢＯＸ開閉センサ２２が検知し、かつ監視解除キー２５が挿入されていない場合には異常が発生したと判断し（Ｓ１−３のはい、Ｓ１−７）、監視回路２１ａの命令によりデータバッファ２１ｂおよびアドレスバッファ２１ｃからＨＤＤ２０にデータが送られ、ＨＤＤ２０の内部データは直ちに加工されて復旧不可能となる（Ｓ１−７）。
【００３４】
このように構成したことにより、ＨＤＤ２０の脱着作業者は監視解除キー２５を所有している人に限定することができ、監視解除キー２５を所有していない人による脱着作業はきわめて困難なものとすることができる。また、監視解除キー２５を挿入することにより、監視状態の解除とロック状態の解除の両方が行われるため、作業者にとっては脱着作業を行いやすくなる。
【００３５】
図５はＩＤチップを有するハードキーを用いた不正脱着監視装置による監視動作および不正検知動作を説明するフロー図である。
【００３６】
監視解除キー２５の挿入が検知されない場合には（Ｓ２−１のいいえ）、常時監視解除キー２５のキースロット２４への挿入およびＢＯＸ開閉センサ２２の出力を監視する（Ｓ２−３）。監視解除キー２５の挿入が検知された場合には（Ｓ２−１のはい）、固有情報と監視解除キー２５のデータとを照合し、一致しない場合には（Ｓ２−２のいいえ）、監視状態の解除を拒否して監視状態を継続する（Ｓ２−３）。監視状態においてハードＢＯＸケース２３が開かれたことを検知した場合には異常が発生したと判断し（Ｓ２−４のはい、Ｓ２−５）、監視回路２１ａの命令によりデータバッファ２１ｂおよびアドレスバッファ２１ｃから大容量記憶装置１０にデータが送られ、大容量記憶装置１０の内部データは直ちに加工されて復旧不可能となる（Ｓ２−６）。固有情報と監視解除キー２５のデータとを照合し、一致した場合には（Ｓ２−２のはい）、大容量記憶装置１０の不正脱着監視状態を解除する（Ｓ２−７）。さらにロック機構２７によるロック状態が解除され、内部データを加工することなく記憶装置の脱着が可能となる（Ｓ２−８）。
【００３７】
このように、監視解除キー２５に書込み可能なＩＤチップを埋め込み、記憶装置ユニット毎の固有情報、デジタル複写機１の固有情報を監視解除キー２５に持たせることにより、監視解除キー２５の偽造を防止することができる。
【００３８】
図６はパスワードを用いて監視状態を解除する機能を有する不正脱着監視装置による監視動作および不正検知動作を説明するフロー図である。
【００３９】
図６に示す動作は、プラグインの場合にのみ有効であり、電源プラグがはずれている場合にはＩＤチップからのパスワードの読み取りおよび複写機操作パネルによるキー入力ができないため、監視解除キー２５を挿入してもロック機構が解除されない。
【００４０】
監視解除キー２５の挿入が検知されない場合には（Ｓ３−１のいいえ）、常時監視解除キー２５のキースロット２４への挿入およびＢＯＸ開閉センサ２２の出力を監視する（Ｓ３−３）。監視解除キー２５の挿入が検知された場合には（Ｓ３−１のはい）、監視解除キー２５のＩＤチップからパスワードを読み取り、監視回路２１ａのメモリに予め記憶したパスワードとを照合し、一致しない場合には（Ｓ３−２のいいえ）、監視状態の解除を拒否して監視状態を継続する（Ｓ３−３）。監視状態においてハードＢＯＸケース２３が開かれたことを検知した場合には異常が発生したと判断し（Ｓ３−４のはい、Ｓ３−５）、監視回路２１ａの命令によりデータバッファ２１ｂおよびアドレスバッファ２１ｃからＨＤＤ２０にデータが送られ、ＨＤＤ２０の内部データは直ちに加工されて復旧不可能となる（Ｓ３−６）。パスワードが一致した場合には（Ｓ３−２のはい）、パスワードを変更するか否かを選択させ（Ｓ３−７）、変更しない場合には（Ｓ３−７のいいえ）ＨＤＤ２０の監視状態を解除する（Ｓ３−８）。変更する場合には（Ｓ３−７のはい）複写機操作パネルのキー入力よって新たなパスワードを入力し（Ｓ３−１０）、監視解除キー２５のＩＤチップおよび監視回路２１ａのメモリに記憶されているパスワードを更新してから（Ｓ３−１１）ＨＤＤ２０の監視状態を解除する（Ｓ３−８）。さらにロック機構２７によるロック状態が解除され、内部データを加工することなく記憶装置の脱着が可能となる（Ｓ３−９）。
【００４１】
ところで、複写機においては、直ちにコピー可能なスタンバイ状態、一部電源を遮断することによって電力を抑える省エネモード、メインスイッチが切られたＯＦＦモード等の状態が存在する。
【００４２】
図７は省エネモードにおける記憶装置ユニットへの電源供給を示すフロー図である。まず、複写機本体が省エネモードに移行したか否かを判断し（Ｓ４−１）、移行していなければ（Ｓ４−１のいいえ）、通常動作を継続する（Ｓ４−２）。複写機本体が省エネモードに移行すると（Ｓ４−１のはい）、メイン電源部１７から監視回路２１ａへの電源供給がＯＦＦになり（Ｓ４−３）、監視回路基板２１上に搭載されている二次電池３０から監視回路２１ａへ電源が供給されるように切り替えられる（Ｓ４−４）。省エネモードにおいては監視回路基板２１上のＣＰＵは二次電池３０の残容量を監視しており（Ｓ４−５）、もし省エネモードから通常モードに復帰されずに二次電池３０の電圧が基準電圧より降下し、残容量がわずかになったと判断した場合には（Ｓ４−６のはい）、ＣＰＵは残容量がゼロになる前にメイン電源部１７からの電源供給を要求する信号を出力し（Ｓ４−７）、電源供給源をメイン電源部１７に切り替える（Ｓ４−８）。同時に二次電池３０の充電も開始となる（Ｓ４−９）。二次電池３０が満充電となると（Ｓ４−１０のはい）、ＣＰＵは再び供給電源を二次電池３０に切り替えるように指令する（Ｓ４−１のはい、Ｓ４−３）。
【００４３】
このように省エネモードが解除されない限り、二次電池の充放電を繰り返すようになり、大容量記憶装置１０の取り外しの監視は継続される。
【００４４】
図８はＯＦＦモードにおける記憶装置ユニットへの電源供給を示すフロー図である。
【００４５】
図８は、メインスイッチがＯＦＦ状態において、不正脱着監視回路の電源動作フローである。まず、複写機本体がＯＦＦモードに移行したか否かを判断し（Ｓ５−１）、移行していなければ（Ｓ５−１のいいえ）、通常動作を継続する（Ｓ５−２）。複写機本体がＯＦＦモードに移行すると（Ｓ５−１のはい）、メイン電源部１７から監視回路２１ａへの電源供給がＯＦＦになり（Ｓ５−３）、監視回路基板２１上に搭載されている二次電池３０から監視回路２１ａへ電源が供給される（Ｓ５−４）。ＯＦＦモードにおいては監視回路基板２１上のＣＰＵは二次電池３０の残容量を監視しており（Ｓ５−５）、もしＯＦＦモードから通常モードに復帰されずに二次電池３０の電圧が基準電圧より降下し、残容量がわずかになったと判断した場合には（Ｓ５−６のはい）、ＣＰＵは残容量がゼロになる前にメイン電源部１７からの電源供給を要求する信号を出力し（Ｓ５−７）、電源供給源をメイン電源部１７に切り替える（Ｓ５−８）。同時に二次電池３０の充電も開始となる（Ｓ５−９）。二次電池３０が満充電となると（Ｓ５−１０のはい）、ＣＰＵは再び供給電源を二次電池３０に切り替えるように指令する（Ｓ５−１のはい、Ｓ５−３）。
【００４６】
したがって、メイン制御部１７のメインスイッチがＯＮになってＯＦＦモードが解除されない限り、二次電池の充放電を繰り返すようになり、ＨＤＤ２０の取り外しの監視は継続される。
【００４７】
このように電源供給を行うことにより、デジタル複写機１の電源プラグがプラグインされていれば、本体複写機がいかなる状態モードであっても、監視回路２１ａはＨＤＤ２０の不正着脱動作を監視し続けることができる。
【００４８】
以上、実施形態について説明してきたが、本発明の実施形態は上述したものに限るものではない。例えば、本実施形態においては、情報機器としてデジタル複写機を例にして説明してきたが、それに限らず、プリンタ，ファクシミリ装置あるいは複合機であってもよい。
【００４９】
【発明の効果】
以上、説明したように構成したことにより、メンテナンス等で記憶装置の取り外しの際、取り外しの許可を得るためのキーを設けることで、脱着監視装置の動作のコントロールを可能し、脱着監視装置による監視状態の解除方法が複雑となるため、記憶装置の脱着作業はキーを所有している人に限定とすることができる。
【図面の簡単な説明】
【図１】本発明の第１実施形態の記憶装置保護システムを導入したデジタル複写機のブロック図
【図２】記憶装置の不正脱着を監視する監視回路を含んだ記憶装置ユニットの内部構造の概略を示す斜視図
【図３】記憶装置ユニットの電源供給を示すブロック図
【図４】不正脱着監視装置による監視動作および不正検知動作を説明するフロー図
【図５】ＩＤチップを有するハードキーを用いた不正脱着監視装置による監視動作および不正検知動作を説明するフロー図
【図６】パスワードを用いて監視状態を解除する機能を有する不正脱着監視装置による監視動作および不正検知動作を説明するフロー図
【図７】省エネモードにおける記憶装置ユニットの電源供給を示すフロー図
【図８】ＯＦＦモードにおける記憶装置ユニットの電源供給を示すフロー図
【符号の説明】
１　デジタル複写機
２　ホストコンピュータ
１０　大容量記憶装置
１１　不正脱着監視装置
１２　ハードキー部
１３　メイン制御部
１４　暗号復号装置
１５　スキャナユニット
１６　書き込みユニット
１７　メイン電源部
１８　ＬＡＮ　Ｉ／Ｆ部
２０　ＨＤＤ
２１　監視回路基板
２２　ＢＯＸ開閉センサ
２３　ハードＢＯＸケース
２４　キースロット
２５　監視解除キー
２６　蝶番
２７　ロック機構
３０　二次電池
【図１】
2004102665.tif 000003
【図２】
2004102665.tif 000004
【図３】
2004102665.tif 000005
【図４】
2004102665.tif 000006
【図５】
2004102665.tif 000007
【図６】
2004102665.tif 000008
【図７】
2004102665.tif 000009
【図８】
2004102665.tif 000010